(57)【要約】      （修正有）【課題】電源コンセントのないところでも充電が可能であり、且つ容量の大きく長時間の使用にも耐え得る携帯充電器を提供すると、容量の大きな充電器でありながら使い易い携帯充電器を提供することである。【解決手段】携帯機器（Ｐ）に接続するコネクタ（１３）と、携帯機器（Ｐ）を充電する電源を備え、前記電源が単一電池又は単二電池であり、また、前記コネクタ（１３）は屈曲自在の通電コード（１４）を介して接続されており、前記通電コード（１４）が伸縮することを特徴とする携帯充電器（１０）である。【選択図】図３
0003116649.tif 000002
【実用新案登録請求の範囲】
【請求項１】
携帯機器に接続するコネクタと、携帯機器を充電する電源を備え、前記電源が単一電池又は単二電池であることを特徴とする携帯充電器。
【請求項２】
前記コネクタは屈曲自在の通電コードを介して携帯充電器に接続されており、前記通電コードが伸縮することを特徴とする請求項１記載の携帯充電器。
【請求項３】
ボタンの操作によって前記通電コードが携帯充電器の内部に巻き取られて収納されることを特徴とする請求項２記載の携帯充電器。
【考案の詳細な説明】
【技術分野】
【０００１】
本考案は携帯電話やＰＤＡ等の携帯機器の充電するための充電器に関する。
【背景技術】
【０００２】
携帯電話をはじめとする携帯機器が広く普及している。かかる携帯機器はリチウム電池などの充電可能な電池を内蔵しており、この内蔵電池を充電することによって継続的に使用される。
【０００３】
そして、内蔵された電池を充電するものとしては、電源コンセントに接続して使用する充電器や、小型でコンパクトな携帯性に優れた携帯充電器が存在する。
【考案の開示】
【考案が解決しようとする課題】
【０００４】
しかし、電源コンセントに接続して使用する充電器は、電源コンセントが無いところでは充電できないので不便である。また、小型でコンパクトな携帯充電器は、通常、単三以下の小型電池を内蔵したものであって容量が小さく、短時間のうちに充電能力を失うというデメリットがある。
【０００５】
本考案は、電源コンセントのないところでも充電が可能であり、且つ容量の大きく長時間の使用にも耐え得る充電器を提供することを第１の目的とする。
【課題を解決するための手段】
【０００６】
そこで、請求項１に係る考案は、携帯機器に接続するコネクタと、携帯機器を充電する電源を備え、前記電源が単一電池又は単二電池であることを特徴とする携帯充電器である。
【０００７】
ところで、電源が単一電池又は単二電池とすれば容量が大きくなり、例えば、携帯機器の充電が切れた後でも、携帯充電器を接続することで携帯機器を長時間に亘って使用できるが、電池の容量の増加と共に携帯充電器自体も大きくなってしまうため、携帯充電器を携帯機器に接続したままでは使用しづらくなる。例えば、携帯電話に大きな携帯充電器を接続した状態で通話するのは非常に使いづらいであろう。そこで、本考案は、容量の大きな充電器でありながら、なるべく使い易くすることを第２の目的とする。
【０００８】
請求項２に係る考案は、前記コネクタは屈曲自在の通電コードを介して携帯充電器に接続されており、前記通電コードが伸縮することを特徴とする請求項１記載の携帯充電器である。
【０００９】
このようなものであると、携帯機器に携帯充電器を接続した状態であっても比較的使いやすい。たとえば、携帯電話の充電が切れた後に通話を継続する場合、大きな携帯充電器を携帯電話に直接的に接続するのではなく、屈曲自在の通電コードを介して間接的に接続し、且つ通電コードは伸縮自在であるから、携帯電話の重さや移動性に対する影響が小さく比較的使い易いのである。
【００１０】
また、前記通電コードの操作性を考慮して、請求項３に係る考案は、ボタンの操作によって前記通電コードが携帯充電器の内部に巻き取られて収納されることを特徴とする請求項２記載の携帯充電器である。
【考案の効果】
【００１１】
本考案の携帯充電器であれば、容量が大きく充電能力が高い。また、コネクタは屈曲自在の通電コードを介して携帯充電器に接続され、通電コードが伸縮することから、携帯充電器を接続したままでも携帯機器が使用し易い。また、押しボタンの操作によって前記通電コードが携帯充電器の内部に巻き取られて収納されるので、非常に操作性が良い。
【考案を実施するための最良の形態】
【００１２】
以下、本考案を実施するための最良の形態を、実施例として示す各図と共に説明する。
【実施例】
【００１３】
図１ないし図３は本考案の携帯充電器１０の実施例である。図１は、本考案の携帯充電器１０の斜視図、図２は携帯充電器１０の底面図、図３は携帯充電器１０と充電機器Ｐ（携帯電話）を接続した状態を示す図である。
【００１４】
まず、携帯充電器１０の主な構成について説明する。
【００１５】
携帯充電器１０は、電源である電池２０が挿入・収納される電池収納部１１と、屈曲自在の通電コード１４を収納する通電コード収納部１２と、通電コード１４を介して携帯充電器１０に接続されたコネクタ１３と、収納部１２の上面に設けた押しボタン１５と、収納部１２に設けられたランプ１６とを有する。
【００１６】
電源である電池２０は単一電池又は単二電池であり、容量が大きなものである。
【００１７】
電池収納部１１は、二本の単一又は単二の電池が収まる空間を有している。携帯充電器１０の底面はスライド開閉するものであり、この動作によって電池２０の交換が可能である。具体的には、電池２０の交換は、携帯充電器１０の底面を水平方向にスライドさせて開口し、電池２０を取出して新たな電池を挿入し、追って携帯充電器１０の底面を逆方向にスライドさせて閉口するのである。
【００１８】
通電コード収納部１２は電池収納部１１の上方に位置している。通電コード収納部１２の内部には回転軸が設けられており、その回転軸に円盤状の回転リールが挿通されている（図示しない）。なお、通電コード１４は回転リールの外周面に巻き付けられて収納されるものであり、回転リールはバネの作用によって常に通電コードを巻き取る方向に付勢されている。
【００１９】
コネクタ１３は携帯機器に接続されるものであり、コネクタ１３は通電コード１４を介して携帯充電器１０に取り付けられている。
【００２０】
通電コード１４は屈曲自在の紐体であり、その一端はコネクタ１３と連結しており、他端は回転リールに連結している。
【００２１】
以上が携帯充電器１０の主な構成であるが、次に、携帯充電器１０からコネクタ１３を引き出し、携帯機器Ｐに接続する動作について説明する。
【００２２】
コネクタ１３を引っ張ると通電コード１４が回転リールから送り出され、コネクタ１３は携帯充電器１０から離脱する。前記引っ張る動作を中止すると、コネクタ１３はその位置で停止する。具体的には、回転リールの回転が押しボタン１５によって静止され、コネクタ１３がその位置で停止する。すなわち、押しボタン１５の裏面に形成した係止片と回転リールの外周の形成した係止片とが係り合って、回転リールの回転が止まる。そして、コネクタ１３を携帯機器Ｐに接続して充電を開始するのである。
【００２３】
そして、コネクタ１３を元に戻すときは、押しボタン１５を図中の矢印の方向へ移動させる。押しボタン１５を図中の矢印の方向へ移動させると、押しボタン１５の裏面に形成した係止片と回転リールの外周の形成した係止片との係り合いが解除され、回転リールはバネの作用によって回転し、通電コード１４を巻き取る。
【００２４】
なお、充電中はランプ１６が点灯しており、充電が完了するとランプ１６は消灯する。
【図面の簡単な説明】
【００２５】
【図１】本考案の実施例の斜視図。
【図２】本考案の実施例の底面図。
【図３】本考案の使用状態を示す斜視図。
【符号の説明】
【００２６】
１０    携帯充電器
１１    電池収納部
１２    通電コード収納部
１３    コネクタ
１４    通電コード
１５    押しボタン
１６    ランプ
２０    電池（単一又は単二）
【図１】
0003116649.tif 000003
【図２】
0003116649.tif 000004
【図３】
0003116649.tif 000005